(57)【特許請求の範囲】
【請求項１】
それぞれ固有のアドレスが設定される１乃至複数の制御スイッチを有する操作端末器と、１乃至複数の負荷が接続され、信号線を介して操作端末器に接続されるとともに、制御スイッチが操作されたときに信号線を介して操作端末器から受け取る監視データに基いて、操作された制御スイッチに対応した負荷を制御する制御装置とを備える遠隔制御システムに用いられる操作端末器であって、
ハウジングと、
それぞれ押釦スイッチからなり前方からの押力を受ける押釦をハウジングの前面に露出させる形でハウジングに対して保持された複数個の制御スイッチと、
押釦スイッチからなり前方からの押力を受ける押釦をハウジングの前面に露出させる形でハウジングに対して保持された切換スイッチと、
ハウジングに保持されて信号線に接続され制御装置に対して監視データを送信する通信部と、
ハウジングに収納され、切換スイッチが押操作される度に、いずれかの制御スイッチが押操作されたときに押操作された制御スイッチに設定されたアドレスの情報を含む監視データを生成するとともに通信部を制御して該監視データを制御装置へ送信させる制御モードと、制御スイッチが押操作される度に押操作された制御スイッチのアドレスを変更する設定モードとの間で、動作モードを択一的に切り換える制御部とを備え、
ハウジングの前面には、いずれの制御スイッチの押釦の前端よりも後方に位置し前方から見て各制御スイッチと切換スイッチとをそれぞれ囲む平面形状の露出部が設けられていて、切換スイッチの押釦の前端は露出部よりも後方に位置し、切換スイッチの押釦は、ハウジングの露出部に開口し球面形状に窪んだ切換凹部の底部に設けられた切換穴から切換凹部の内側に突出し、切換スイッチは、いずれの制御スイッチと比べても、押操作が受け付けられるために必要な押力が強く、且つ、前方から見た押釦の面積が小さいことを特徴とする操作端末器。
【請求項２】
切換スイッチの押釦は、前方から見た寸法形状と色との少なくとも一方が、いずれの制御スイッチの押釦とも異なっていることを特徴とする請求項１記載の操作端末器。
【請求項３】
それぞれ固有のアドレスが設定される１乃至複数の制御スイッチを有する操作端末器と、１乃至複数の負荷が接続され、信号線を介して操作端末器に接続されるとともに、制御スイッチが操作されたときに信号線を介して操作端末器から受け取る監視データに基いて、操作された制御スイッチに対応した負荷を制御する制御装置とを備える遠隔制御システムに用いられる操作端末器であって、
ハウジングと、
それぞれ押釦スイッチからなり前方からの押力を受ける押釦をハウジングの前面に露出させる形でハウジングに対して保持された複数個の制御スイッチと、
押釦スイッチからなり前方からの押力を受ける押釦をハウジングの前面に露出させる形でハウジングに対して保持された切換スイッチと、
ハウジングに保持されて信号線に接続され制御装置に対して監視データを送信する通信部と、
ハウジングに収納され、切換スイッチが押操作される度に、いずれかの制御スイッチが押操作されたときに押操作された制御スイッチに設定されたアドレスの情報を含む監視データを生成するとともに通信部を制御して該監視データを制御装置へ送信させる制御モードと、制御スイッチが押操作される度に押操作された制御スイッチのアドレスを変更する設定モードとの間で、動作モードを択一的に切り換える制御部とを備え、
ハウジングの前面には、いずれの制御スイッチの押釦の前端よりも後方に位置し前方から見て各制御スイッチと切換スイッチとをそれぞれ囲む平面形状の露出部が設けられていて、切換スイッチの押釦の前端は露出部よりも後方に位置し、
切換スイッチの押釦は、ハウジングの露出部に開口し球面形状に窪んだ切換凹部の底部に設けられた切換穴から切換凹部の内側に突出していて、
切換スイッチの押釦は、前方から見た寸法形状と色との少なくとも一方が、いずれの制御スイッチの押釦とも異なっていて、
切換スイッチは、いずれの制御スイッチと比べても、押操作が受け付けられるために必要な押力が強く、且つ、前方から見た押釦の面積が小さいことを特徴とする操作端末器。
【発明の詳細な説明】
【技術分野】
【０００１】
本発明は、操作端末器に関するものである。
【背景技術】
【０００２】
従来から、図７に示すように、それぞれ固有のアドレスが設定される１乃至複数の制御スイッチ１０３ａ，１０４ａ，１０５ａを有する複数台（図では３台）操作端末器１０３〜１０５と、１乃至複数の負荷（図示せず）が接続され、２線式の信号線Ｌｓを介して操作端末器１０３〜１０５に接続されるとともに、制御スイッチ１０３ａ，１０４ａ，１０５ａが操作されたときに信号線Ｌｓを介して操作端末器１０３〜１０５から受け取る監視データに基いて、操作された制御スイッチ１０３ａ，１０４ａ，１０５ａに対応した負荷を制御する制御装置としての制御親器１０１及び制御子器１０２とを備える遠隔制御システムが提供されている（例えば、特許文献１参照）。信号線Ｌｓに対する接続形態は、マルチドロップ接続となっている。
【０００３】
具体的に説明すると、制御親器１０１及び制御子器１０２はそれぞれ負荷への給電路に挿入されたリレー（図示せず）を有し、リレーを制御することで負荷への給電をオンオフすることにより負荷をオンオフ制御する。制御親器１０１は８回路（負荷８個分）のリレーを有し、制御子器１０２は４回路（負荷４個分）のリレーを有する。
【０００４】
また、操作端末器１０３〜１０５が有する制御スイッチ１０３ａ，１０４ａ，１０５ａには、例えば特許文献２にも示されているような周知の押釦スイッチが用いられる。
【０００５】
以下、上記の遠隔制御システムの動作を説明する。
【０００６】
制御親器１０１は、信号線Ｌｓに対し、図８（ａ）に示すフォーマットの伝送信号Ｖｓを送出する。伝送信号Ｖｓは、信号送出開始を示すスタートパルス信号ＳＴ、伝送信号Ｖｓのモードを示すモードデータＭＤ、制御子器１０２や操作端末器１０３〜１０５を格別に呼び出すためのアドレスデータＡＤ、制御の指示が示される制御データＣＤ、伝送誤りを検出するためのチェックサムデータＣＳ、制御子器１０２や操作端末器１０３〜１０５から返送された監視データを受信するタイムスロットである信号返送期間ＷＴよりなる双極性（±２４Ｖ）の時分割多重信号であり、図８（ｂ）に示すようなパルス幅変調によってデータが伝送されるようになっている。
【０００７】
制御子器１０２及び操作端末器１０３〜１０５では、信号線Ｌｓを介して受信した伝送信号Ｖｓ中のアドレスデータＡＤが、自身が有するリレーや制御スイッチ１０３ａ，１０４ａ，１０５ａに予め設定されているアドレスのいずれかに一致すると、伝送信号Ｖｓから制御データＣＤを取り込むとともに、伝送信号Ｖｓの信号返送期間ＷＴに監視データを電流モード信号として返送する。なお、電流モード信号とは、信号線Ｌｓを適当な低インピーダンスを介して短絡することにより送出される信号である。
【０００８】
制御親器１０１は、通常時には、モードデータＭＤをダミーモードとした伝送信号Ｖｓを一定時間間隔で送出する、いわゆる常時ポーリングを行なっている。操作端末器１０３〜１０５は、制御スイッチ１０３ａ，１０４ａ，１０５ａが操作されたときには、ダミーモードの伝送信号Ｖｓのスタートパルス信号ＳＴに同期させて図８（ｃ）に示すような割込信号Ｖｉを発生させる。このとき、割込信号Ｖｉを発生させた操作端末器１０３〜１０５は割込みフラグを設定して制御親器１０１との以後の情報授受に備える。制御親器１０１は、割込信号Ｖｉを受信すると、モードデータＭＤを割込ポーリングモードとし且つアドレスデータＡＤの上位の半数のビットを順次増加させながら伝送信号を送出し、割込信号Ｖｉを発生させた操作端末器１０３〜１０５では、操作された制御スイッチ１０３ａ，１０４ａ，１０５ａに予め設定されているアドレス（以下、「制御アドレス」と呼ぶ。）の上位の半数のビットに、割込ポーリングモードの伝送信号ＶｓのアドレスデータＡＤの上位の半数のビットが一致するとき、信号返送期間ＷＴに制御アドレスの下位の半数のビットを制御親器１０１に返送する。
【０００９】
制御親器１０１は、上記の信号返送期間ＷＴに制御アドレスの下位の半数のビットを獲得し、上記アドレスデータＡＤの上位の半数のビットと合わせて、制御アドレスの全体を獲得すると、モードデータＭＤを監視モードとし、獲得された制御アドレスをアドレスデータＡＤとする伝送信号Ｖｓを信号線Ｌｓに送出する。この伝送信号Ｖｓの信号返送期間ＷＴに、割込信号Ｖｉを発生させた操作端末器１０３〜１０５は、操作された制御スイッチ１０３ａ，１０４ａ，１０５ａの操作状態を返送する。
【００１０】
最後に、制御親器１０１は、割込信号Ｖｉを発生させた操作端末器１０３〜１０５に対し、割込フラグの解除を指示する信号を送出し、割込信号Ｖｉを発生させた操作端末器１０３〜１０５はこの信号を受けて割込フラグを解除する。
【００１１】
以上のようにして、操作端末器１０３〜１０５から制御親器１０１への情報伝送は、制御親器１０１から操作端末器１０３〜１０５への４回の信号送出（ダミーモード、割込ポーリングモード、監視モード、割込リセット）によって完了する。
【００１２】
また、制御親器１０１が制御子器１０２からリレーの動作状態の情報を得ようとするときには、モードデータＭＤを監視モードとした伝送信号Ｖｓが用いられる。
【００１３】
ここで、制御親器１０１は、制御スイッチ１０３ａ，１０４ａ，１０５ａのアドレスと各リレーとの対応関係を管理しており、操作された制御スイッチ１０３ａ，１０４ａ，１０５ａのアドレス（制御アドレス）と該制御スイッチ１０３ａ，１０４ａ，１０５ａの操作状態とを獲得すると、制御アドレスに対応付けられたリレーを制御親器１０１自身が有しておればそのリレーを上記操作状態に応じた状態とするようにオンオフ制御する。さらに、制御アドレスに対応付けられたリレーを制御子器１０２が有しておれば、モードデータＭＤを制御モードとし、アドレスデータＡＤを上記リレーのアドレスとし、行なわれるべき制御の内容の指示が制御データＣＤに含まれる伝送信号Ｖｓを信号線Ｌｓに送出する。制御子器１０２は、自身が有するリレーのアドレスがアドレスデータＡＤに示された伝送信号Ｖｓが受信されると、該リレーを制御データＣＤに示された指示のように制御するとともに、制御後のリレーの状態を示す監視データを信号返送期間ＷＴに返送する。制御親器１０１では、送出した制御データＣＤと返送された監視データとの関係により、伝送信号Ｖｓが正常に受信されたことを確認する。
【００１４】
さらに、操作端末器１０３〜１０５が例えば点灯・消灯の別や光色によって負荷の動作状態（すなわちリレーのオンオフ）を表示する発光ダイオードのような表示手段を有する場合、制御親器１０１は、制御スイッチ１０３ａ，１０４ａ，１０５ａへの操作に応じた動作が完了した後は、モードデータＭＤを制御モードとし、制御されたリレーに対応する制御スイッチ１０３ａ，１０４ａ，１０５ａのアドレスをアドレスデータＡＤとし、制御データＣＤにおいて表示手段の制御を指示する伝送信号Ｖｓを信号線Ｌｓに送出する。これを受けて、操作端末器１０３〜１０５では、表示手段を制御して負荷の動作状態（厳密にはリレーの状態）を正しく表示させるとともに、制御後の表示手段の状態を示す監視データを信号返送期間ＷＴに返送する。制御親器１０１では、送出した制御データＣＤと返送された監視データとの関係により、伝送信号Ｖｓが正常に受信されたことを確認する。
【００１５】
ここで、制御スイッチ１０３ａ，１０４ａ，１０５ａの操作に応じた制御の形態としては、１個の制御スイッチ１０３ａ，１０４ａ，１０５ａが１個のリレーに対応付けられる個別制御だけでなく、１個の制御スイッチ１０３ａ，１０４ａ，１０５ａが操作される度に複数個のリレーのオンオフが一括して切り換えられるグループ制御や、１個の制御スイッチ１０３ａ，１０４ａ，１０５ａが操作されたときに複数個のリレーがそれぞれ予め設定されたオンオフ状態に切り換えられるパターン制御もある。
【００１６】
そして、信号線Ｌｓには、各制御スイッチ１０３ａ，１０４ａ，１０５ａにそれぞれアドレスを設定するためのアドレス設定器１０６もマルチドロップ接続されている。
【特許文献１】特開２００７−１２４１５９号公報
【特許文献２】特開２００６−０３２２０１号公報
【発明の開示】
【発明が解決しようとする課題】
【００１７】
また、操作端末器に、アドレス設定器１０６の機能を持たせることも提案されている。すなわち、操作端末器において、押釦スイッチからなる切換スイッチを設け、通常の操作端末器１０３〜１０５と同様の動作を行う制御モードと、制御スイッチが押操作される度に押操作された制御スイッチのアドレスを変更する設定モードとの間で、動作モードが択一的に切り換えられるようにする。
【００１８】
このような操作端末器では、制御スイッチを押操作しようとしたところを誤操作により切換スイッチが押操作されると、動作モードが切り換わってしまう。特に、所定の規格に準拠した寸法形状に形成された操作端末器において、設けられている制御スイッチや表示装置が多いことで寸法上の制約から制御スイッチと切換スイッチとの距離が近くなっているような場合、上記のような誤操作が発生しやすい。
【００１９】
本発明は、上記事由に鑑みて為されたものであり、その目的は、制御スイッチを押操作する際の切換スイッチの誤操作が抑制される操作端末器を提供することにある。
【課題を解決するための手段】
【００２０】
請求項１の発明は、それぞれ固有のアドレスが設定される１乃至複数の制御スイッチを有する操作端末器と、１乃至複数の負荷が接続され、信号線を介して操作端末器に接続されるとともに、制御スイッチが操作されたときに信号線を介して操作端末器から受け取る監視データに基いて、操作された制御スイッチに対応した負荷を制御する制御装置とを備える遠隔制御システムに用いられる操作端末器であって、ハウジングと、それぞれ押釦スイッチからなり前方からの押力を受ける押釦をハウジングの前面に露出させる形でハウジングに対して保持された複数個の制御スイッチと、押釦スイッチからなり前方からの押力を受ける押釦をハウジングの前面に露出させる形でハウジングに対して保持された切換スイッチと、ハウジングに保持されて信号線に接続され制御装置に対して監視データを送信する通信部と、ハウジングに収納され、切換スイッチが押操作される度に、いずれかの制御スイッチが押操作されたときに押操作された制御スイッチに設定されたアドレスの情報を含む監視データを生成するとともに通信部を制御して該監視データを制御装置へ送信させる制御モードと、制御スイッチが押操作される度に押操作された制御スイッチのアドレスを変更する設定モードとの間で、動作モードを択一的に切り換える制御部とを備え、ハウジングの前面には、いずれの制御スイッチの押釦の前端よりも後方に位置し前方から見て各制御スイッチと切換スイッチとをそれぞれ囲む平面形状の露出部が設けられていて、切換スイッチの押釦の前端は露出部よりも後方に位置し、切換スイッチの押釦は、ハウジングの露出部に開口し球面形状に窪んだ切換凹部の底部に設けられた切換穴から切換凹部の内側に突出し、切換スイッチは、いずれの制御スイッチと比べても、押操作が受け付けられるために必要な押力が強く、且つ、前方から見た押釦の面積が小さいことを特徴とする。
【００２１】
この発明によれば、切換スイッチの押釦の前端が、制御スイッチの押釦の前端よりも後方に位置することになるから、切換スイッチの押釦の前端と制御スイッチの押釦の前端とが互いに同じ前後位置に配置されている場合に比べ、制御スイッチを押操作する際の切換スイッチの誤操作が抑制される。
【００２２】
また、この発明によれば、切換スイッチの押釦を切換凹部の内側に突出させない場合に比べ、手の指による切換スイッチの押操作が容易となり、切換スイッチの押操作にドライバー等の治具を用いる必要がない。また、この発明によれば、切換スイッチと各制御スイッチとで必要な押力および前方から見た押釦の面積それぞれを全て共通とする場合に比べ、切換スイッチの誤操作がより抑制される。
【００２３】
請求項２の発明は、請求項１の発明において、切換スイッチの押釦は、前方から見た寸法形状と色との少なくとも一方が、いずれの制御スイッチの押釦とも異なっていることを特徴とする。
【００２４】
この発明によれば、切換スイッチの押釦と各制御スイッチの押釦とで、前方から見た寸法形状や色を全て共通とする場合に比べ、切換スイッチの押釦と制御スイッチの押釦との区別がつきやすくなり誤操作が抑制される。
【００２５】
請求項３の発明は、それぞれ固有のアドレスが設定される１乃至複数の制御スイッチを有する操作端末器と、１乃至複数の負荷が接続され、信号線を介して操作端末器に接続されるとともに、制御スイッチが操作されたときに信号線を介して操作端末器から受け取る監視データに基いて、操作された制御スイッチに対応した負荷を制御する制御装置とを備える遠隔制御システムに用いられる操作端末器であって、ハウジングと、それぞれ押釦スイッチからなり前方からの押力を受ける押釦をハウジングの前面に露出させる形でハウジングに対して保持された複数個の制御スイッチと、押釦スイッチからなり前方からの押力を受ける押釦をハウジングの前面に露出させる形でハウジングに対して保持された切換スイッチと、ハウジングに保持されて信号線に接続され制御装置に対して監視データを送信する通信部と、ハウジングに収納され、切換スイッチが押操作される度に、いずれかの制御スイッチが押操作されたときに押操作された制御スイッチに設定されたアドレスの情報を含む監視データを生成するとともに通信部を制御して該監視データを制御装置へ送信させる制御モードと、制御スイッチが押操作される度に押操作された制御スイッチのアドレスを変更する設定モードとの間で、動作モードを択一的に切り換える制御部とを備え、ハウジングの前面には、いずれの制御スイッチの押釦の前端よりも後方に位置し前方から見て各制御スイッチと切換スイッチとをそれぞれ囲む平面形状の露出部が設けられていて、切換スイッチの押釦の前端は露出部よりも後方に位置し、切換スイッチの押釦は、ハウジングの露出部に開口し球面形状に窪んだ切換凹部の底部に設けられた切換穴から切換凹部の内側に突出していて、切換スイッチの押釦は、前方から見た寸法形状と色との少なくとも一方が、いずれの制御スイッチの押釦とも異なっていて、切換スイッチは、いずれの制御スイッチと比べても、押操作が受け付けられるために必要な押力が強く、且つ、前方から見た押釦の面積が小さいことを特徴とする。
【００２６】
この発明によれば、切換スイッチの押釦の前端が、制御スイッチの押釦の前端よりも後方に位置することになるから、切換スイッチの押釦の前端と制御スイッチの押釦の前端とが互いに同じ前後位置に配置されている場合に比べ、制御スイッチを押操作する際の切換スイッチの誤操作が抑制される。また、切換スイッチの押釦を切換凹部の内側に突出させない場合に比べ、切換スイッチの押操作が容易となる。さらに、切換スイッチの押釦と各制御スイッチの押釦とで、前方から見た寸法形状や色を全て共通とする場合に比べ、切換スイッチの押釦と制御スイッチの押釦との区別がつきやすくなり誤操作が抑制される。また、切換スイッチと各制御スイッチとで必要な押力および前方から見た押釦の面積それぞれを全て共通とする場合に比べ、切換スイッチの誤操作がより抑制される。
【発明の効果】
【００２７】
請求項１及び請求項３の発明によれば、ハウジングの前面には、いずれの制御スイッチの押釦の前端よりも後方に位置し前方から見て各制御スイッチと切換スイッチとをそれぞれ囲む平面形状の露出部が設けられていて、切換スイッチの押釦の前端は露出部よりも後方に位置するので、切換スイッチの押釦の前端が、制御スイッチの押釦の前端よりも後方に位置することになるから、切換スイッチの押釦の前端と制御スイッチの押釦の前端とが互いに同じ前後位置に配置されている場合に比べ、制御スイッチを押操作する際の切換スイッチの誤操作が抑制される。
【００２８】
また、請求項１及び請求項３の発明によれば、切換スイッチの押釦は、ハウジングの露出部に開口し球面形状に窪んだ切換凹部の底部に設けられた切換穴から切換凹部の内側に突出しているので、切換スイッチの押釦を切換凹部の内側に突出させない場合に比べ、手の指による切換スイッチの押操作が容易となり、切換スイッチの押操作にドライバー等の治具を用いる必要がない。また、請求項１及び請求項３の発明によれば、切換スイッチは、いずれの制御スイッチと比べても、押操作が受け付けられるために必要な押力が強く、且つ、前方から見た押釦の面積が小さいので、切換スイッチと各制御スイッチとで必要な押力および前方から見た押釦の面積それぞれを全て共通とする場合に比べ、切換スイッチの誤操作がより抑制される。
【００２９】
請求項２及び請求項３の発明によれば、切換スイッチの押釦は、前方から見た寸法形状と色との少なくとも一方が、いずれの制御スイッチの押釦とも異なっているので、切換スイッチの押釦と各制御スイッチの押釦とで、前方から見た寸法形状や色を全て共通とする場合に比べ、切換スイッチの押釦と制御スイッチの押釦との区別がつきやすくなり誤操作が抑制される。
【発明を実施するための最良の形態】
【００３０】
以下、本発明を実施するための最良の形態について、図面を参照しながら説明する。
【００３１】
本実施形態は、図７及び図８（ａ）〜（ｃ）を用いて説明した遠隔制御システムにおいて信号線Ｌｓに接続して用いられる操作端末器であって、図２に示すように、信号線Ｌｓに接続されて伝送信号Ｖｓの受信並びに割込信号Ｖｉや監視データの送信を行う通信部１１と、操作入力を受け付ける操作部１２と、各種の表示がなされる表示部１３と、通信部１１に受信された伝送信号Ｖｓや操作部１２に受け付けられた操作入力に応じて通信部１１と表示部１３とをそれぞれ制御する制御部１４とを備える。
【００３２】
通信部１１と操作部１２と表示部１３と制御部１４との各回路部品は、それぞれ図３に示すプリント配線板２０に実装されて回路ブロック２を構成している。以下、上下方向は図３を基準とし、図３の左上−右下方向を左右方向と呼び、図３の左下−右上方向を前後方向と呼ぶ。つまり、プリント配線板２０の厚さ方向は前後方向と呼ぶ。
【００３３】
操作部１２は、４個の制御スイッチ２１と、１個の切換スイッチ２２とを備える。各制御スイッチ２１と切換スイッチ２２とは、それぞれ前方からの押力を受ける押釦を有する押釦スイッチからなる。４個の制御スイッチ２１は、プリント配線板２０の前面の左右方向の中央よりも右寄りに、上下に並べて実装されている。また、切換スイッチ２２は、プリント配線板２０の前面の右下端部に実装されている。制御部１４は、切換スイッチ２２が押操作される度に、動作モードを制御モードと設定モードとの一方に択一的に切り換える。制御モードでの動作は従来技術の項で説明した操作端末器１０３〜１０５と同様であるから説明を省略する。設定モードでは、制御部１４は、制御スイッチ２１が押操作される度に、押操作された制御スイッチ２１のアドレスをサイクリックに変更する。
【００３４】
また、表示部１３は、それぞれ発光部が直方体形状とされた発光ダイオードからなり制御スイッチ２１に一対一に対応付けられた４個の表示灯２３と、少なくとも設定モードでは各制御スイッチ２１の現在のアドレスをそれぞれ表示するアドレス表示機２４とを備える。各表示灯２３は、従来技術の項で説明した表示手段であって、それぞれ対応する制御スイッチ２１が対応付けられた負荷の動作状態を表示するものである。また、アドレス表示機２４としては、具体的には例えばアドレスをデジタル表示するセグメント型の発光ダイオードや、液晶パネルを用いることができる。各表示灯２３は、それぞれプリント配線板２０の左端部において、対応する制御スイッチ２１に近い上下位置で上下に並べて略等間隔に実装されている。また、アドレス表示機２４は、各制御スイッチ２１のアドレスが前面に上下に並べてそれぞれ表示されるものであり、前面が上下に長い長方形状であって、プリント配線板２０の前面において表示灯２３と制御スイッチ２１とに挟まれる左右位置に実装されている。
【００３５】
通信部１１及び制御部１４は、それぞれ周知技術によって実現可能であるので、詳細な図示並びに説明は省略する。
【００３６】
さらに、本実施形態は、プリント配線板２０を収納するハウジング３を備える。ハウジング３は、前面が開口した直方体形状のボディ３１と、前後に扁平な形状であってボディ３１の前面の開口を閉塞する形でボディ３１に機械的に結合するカバー３２とを備える。ボディ３１とカバー３２とはそれぞれ例えば合成樹脂成型品からなる。ボディ３１の左右の壁には、それぞれ前端部に上下に並べて結合片３１ａが前方へ突設され、各結合片３１ａの後端部には、それぞれ上下に長い結合穴３１ｂが左右に貫設されている。また、カバー３２の左右の両側面には、それぞれ前後両側に開放された結合溝３２ａが設けられ、各結合溝３２ａの底面にはそれぞれ上下に長い結合爪３２ｂが左右方向の外向きに突設されていて、各結合溝３２ａにそれぞれ１個ずつの結合片３１ａが導入されるとともに結合爪３２ｂが結合穴３１ｂに係入することにより、ボディ３１とカバー３２とは機械的に結合する。
【００３７】
また、ボディ３１の底面の上端部には一対のねじ端子３３が保持されており、各ねじ端子３３にはそれぞれ後側から一対の信号線Ｌｓのうちの一方ずつが接続され、一端が通信部１１に接続された電線（図示せず）が前側から接続される。つまり、通信部１１は上記電線とねじ端子３３とを介して信号線Ｌｓに電気的に接続される。
【００３８】
さらに、カバー３２は、ＪＩＳ  Ｃ  ８３０４に規定された大角連用型の既成の取付枠に対応した形状に形成されており、ハウジング３は前面を露出させる形で壁面等の施工面（図示せず）への埋込配設が可能となっている。そして、カバー３２の上下両端部には、それぞれボディ３１よりも上下方向の外側に突出して施工面へのハウジング３の固定に用いられる取付部３２ｃが設けられている。各取付部３２ｃにおいて、中央部には、それぞれ左右に長い長穴形状であって施工面に埋め込まれた埋込ボックス（図示せず）に螺合するボックスねじが挿通されるボックス穴３２ｄが前後に貫設されている。また、各取付部３２ｃにおいてボックス穴３２ｄの左右には、施工面がパネル材で形成されているときにパネル材を取付部３２ｃとの間で挟持する挟み金具（図示せず）を引掛け係止するための引掛け穴３２ｅが前後に貫設されている。さらに、各取付部３２ｃにおいてそれぞれボックス穴３２ｄよりも上下方向の外側となる位置には、それぞれプレート（図示せず）を取り付けるためのねじが挿通されるプレート穴３２ｆが前後に貫設されている。さらに、各取付部３２ｃにおいてプレート穴３２ｆの左右両側には、それぞれ施工面に螺合する直付け用のねじが挿通される直付け穴３２ｇが貫設されている。
【００３９】
また、カバー３２には、それぞれ１個ずつの制御スイッチ２１の押釦を前面に露出させる４個の制御穴３２ｈと、切換スイッチ２２の押釦を前面に露出させる切換穴３２ｉと、それぞれ１個ずつの表示灯２３の発光部を前面に露出させる４個の表示穴３２ｊと、アドレス表示機２４に表示された制御スイッチ２１のアドレスをそれぞれ１個ずつ表示させるアドレス穴（図示せず）とが、それぞれ前後に貫設されている。また、図４に示すように、カバー３２の前面において切換穴３２ｉを囲む範囲には球面形状に窪んだ切換凹部３２ｋが設けられており、切換穴３２ｉは切換凹部３２ｋの前方から見た中央部の底に開口している。
【００４０】
さらに、カバー３２の前面にはシート状の銘板３４が貼着される。銘板３４は、例えば合成樹脂からなり、上２個の切換穴３２ｉと最も下の切換穴３２ｉと各表示穴３２ｊとの１個ずつに連通する７個の貫通穴が前後に貫設され、下から２番目の切換穴３２ｉと切換凹部３２ｋとをそれぞれ前方に開放する切欠が設けられた形状であって、アドレス穴の前側となる４箇所がそれぞれ透明とされている。また、カバー３２の前面には、銘板３４よりも僅かに大きい寸法形状とされた銘板凹部３２ｌが設けられており、銘板３４は銘板凹部３２ｌの内面によって位置決めされる。また、銘板凹部３２ｌの底面は平面形状であって、各制御スイッチ２１の押釦スイッチ及び切換スイッチ２２の押釦スイッチはそれぞれ銘板凹部３２ｌの底面に露出し、切換凹部３２ｋは銘板凹部３２ｌの底面に開口している。つまり、銘板凹部３２ｌの底面が請求項における露出部である。
【００４１】
また、動作モードが制御モードとされて通常の操作端末器として使用される通常時には、ハウジング３の前側にはハンドルブロック４が取着される。ハンドルブロック４は、ハウジング３の左端部の前側に固定されるベース部４１と、それぞれ前方から見て長方形状であって左後端部が薄肉部を介してベース部４１に連結されることによりベース部４１に対して右端部を後方に弾性的に変位させることができる４個のハンドル部４２とを有するハンドル本体４０を備える。すなわち、図５及び図６に示すようにハンドルブロック４が装着された状態では、前方からハンドル部４２を押操作して後方へ変位させることにより、押操作されたハンドル部４２に応じた制御スイッチ２１の押釦がハンドル部４２によって押操作される。また、ハンドルブロック４は、前方から見てボックス穴３２ｄの上下位置までを覆う長方形状であって、ハンドルブロック４が取り付けられた状態では、切換凹部３２ｋや切換スイッチ２２の押釦はハンドルブロック４によって覆われ、切換スイッチ２２を押操作することはできない。つまり、ハンドルブロック４が取り付けられた状態では、見栄えが改善されるとともに、切換スイッチ２２の誤操作が防止される。ハンドル本体４０は例えば合成樹脂成型品からなる。
【００４２】
ハンドル本体４０において、ベース部４１の上下両端部と各ハンドル部４２の右端部とにはそれぞれハウジング３との結合のための係止凸部（図示せず）が突設されている。ハウジング３のカバー３２において、左上端部及び左下端部にはそれぞれベース部４１の係止凸部が挿入係止される係止穴３２ｍが前後に貫設されるとともに、右端部にはそれぞれ１個ずつのハンドル部４２の係止凸部が挿入係止される４個の係止穴３２ｎが上下に並べて前後に貫設されている。すなわち、ハンドル本体４０の各係止凸部がそれぞれハウジング３の係止穴３２ｍ，３２ｎに挿入係止されることにより、ハンドル本体４０はハウジング３に機械的に結合する。ここで、各ハンドル部４２の係止凸部及び対応する各係止穴３２ｎは、それぞれ制御スイッチ２１を押操作可能な程度にハンドル部４２の可動範囲を確保する形状とされている。
【００４３】
また、ベース部４１の前面には上下に長い嵌合凹部４１ａが設けられるとともに嵌合凹部４１ａの底面において表示灯２３の前側となる４箇所にはそれぞれ窓穴４１ｂが前後に貫設されている。さらに、嵌合凹部４１ａには透光性を有する材料からなる表示窓４３が嵌め込まれており、ハンドルブロック４が取り付けられた状態でも各表示灯２３の光をそれぞれ表示窓４３を通じて前方から視認可能となっている。表示窓４３は例えば透明な合成樹脂からなる。
【００４４】
さらに、各ハンドル部４２の前面にはそれぞれ長方形状のカバー凹部４２ａが設けられるとともに、各カバー凹部４２ａの底面にはそれぞれカード凹部４２ｂが設けられていて、各ハンドル部４２には、例えば紙からなりカード凹部４２ｂに収納されるネームカード４４と、例えば透明な合成樹脂からなりカバー凹部４２ａに嵌合することによりハンドル部４２に対して固定されネームカード４４の脱落を防止するネームカバー４５を取付可能となっている。ネームカード４４には、例えばハンドル部４２によって押操作される制御スイッチ２１に対応付けられた負荷の名称が記入される。
【００４５】
ここで、図１に示すように、各表示灯２３の発光部や、各制御スイッチ２１の押釦は、それぞれ銘板３４の前面よりも前方に突出する。一方、切換スイッチ２２の押釦は切換凹部３２ｋの内側に突出するものの、切換スイッチ２２の前端は銘板凹部３２ｌの底面よりも後側に位置する。
【００４６】
上記構成によれば、切換スイッチ２２の押釦の前端が、いずれの制御スイッチ２１の押釦の前端よりも後方に位置することになるから、切換スイッチ２２の押釦の前端と各制御スイッチ２１の押釦の前端とが互いに同じ前後位置に配置される場合に比べ、制御スイッチ２１を押操作する際の切換スイッチ２２の誤操作が抑制される。
【００４７】
また、切換スイッチ２２の押釦を内側に突出させる切換凹部３２ｋを設けていることにより、切換スイッチ２２の押釦を切換凹部３２ｋの内側に突出させない場合に比べ、手の指による切換スイッチ２２の押操作が容易となり、切換スイッチ２２の押操作にドライバー等の治具を用いる必要がない。なお、切換凹部３２ｋの形状及び大きさは、切換スイッチ２２の押釦の寸法形状や、切換スイッチ２２において押操作が受け付けられるために必要なストローク（押し込みの深さ）に応じて、適宜選択すればよい。
【００４８】
なお、切換スイッチ２２の押釦において、前方から見た寸法形状と色との少なくとも一方が、いずれの制御スイッチ２１の押釦とも異なっているようにすれば、切換スイッチ２２の押釦と各制御スイッチ２１の押釦とで、前方から見た寸法形状や色を全て共通とする場合に比べ、使用者にとって切換スイッチ２２の押釦と制御スイッチ２１の押釦との区別がつきやすくなり誤操作が抑制されるから望ましい。
【００４９】
さらに、切換スイッチ２２において、押操作が受け付けられるために必要な押力をいずれの制御スイッチ２１よりも強くしたり、前方から見た押釦の面積をいずれの制御スイッチ２１よりも小さくしたりすれば、押操作が受け付けられるために必要な押力や、前方から見た押釦の面積を、切換スイッチ２２と各制御スイッチ２１とで共通とする場合に比べ、切換スイッチ２２の誤操作がより抑制されるから望ましい。
【図面の簡単な説明】
【００５０】
【図１】本発明の実施形態においてハンドルブロックを取り外した状態を示す斜視図である。
【図２】同上を示すブロック図である。
【図３】同上を示す分解斜視図である。
【図４】同上の要部を示す斜視図である。
【図５】同上を示す斜視図である。
【図６】同上を示す正面図である。
【図７】遠隔制御システムを示す概略構成図である。
【図８】（ａ）〜（ｃ）はそれぞれ図７の遠隔制御システムにおいて用いられる伝送信号を示す説明図である。
【符号の説明】
【００５１】
１  操作端末器
３  ハウジング
２１  制御スイッチ
２２  切換スイッチ
３２ｋ  切換凹部
【図１】
0005044444.tif 000002
【図２】
0005044444.tif 000003
【図３】
0005044444.tif 000004
【図４】
0005044444.tif 000005
【図５】
0005044444.tif 000006
【図６】
0005044444.tif 000007
【図７】
0005044444.tif 000008
【図８】
0005044444.tif 000009